(57)【特許請求の範囲】
【請求項１】
自動車のフード（ボンネット）を開放するフードリリースレバーの取付構造であって、
インストルメントパネルの内部にジャンクションボックスを収容固定し、該ジャンクションボックスの収容位置のインストルメントパネルの室内側の外面に開口を設けると共に、該開口を閉鎖する化粧板を取り外し可能に設け、
上記ジャンクションボックスはヒューズ・リレー等の取り付けられた正面側が上記開口に面するように配置され、該ジャンクションボックスの下端にレバー取付部を備える凹部を設け、上記レバー取付部にスライド枠を正面側に設けていると共に、該凹部を横断する引掛バーを背面側に設けている一方、上記フードリリースレバーにスライド突起を正面側に設けていると共に、背面側の上面よりフックを立設し、
上記フードリリースレバーのスライド突起を上記レバー取付部のスライド枠にスライド挿入すると共に、上記フックを上記引掛バーに引っ掛けて係止し、上記レバー取付部にフードリリースレバーを取付固定した状態で上記インストルメントパネル内に収容し、
上記化粧板を取り外すことで露出する上記開口をジャンクションボックスのメンテナンス用とフードリリースレバーの操作用とに兼用していることを特徴としているフードリリースレバーの取付構造。
【発明の詳細な説明】
【０００１】
【発明の属する技術分野】
本発明は、フードリリースレバーの取付構造に関し、詳しくは、フードリリースレバーをインストルメントパネルに収容されるジャンクションボックスに取付固定するものである。
【０００２】
【従来の技術】
従来は、図１０に示すように、自動車のメンテナンス時などにおいて、エンジンルームを覆うフード（ボンネット）Ｂを開放するためには、図９（Ａ）に示すように、運転席のインストルメントパネルＩの下端に取り付けられたフードリリースレバー１を引っ張ることで行っている。
フードリリースレバー１は、図９（Ｂ）に示すように、インストルメントパネルＩの下面に突出したブラケット２に回転可能にネジ３で軸着されていると共に、伝達ワイヤ４が室内（Ｘ）からエンジンルーム（Ｙ）に配策されており、ユーザがフードリリースレバー１を手前に引っ張ることにより、伝達ワイヤ４を介してフードＢが開放される。
【０００３】
【発明が解決しようとする課題】
しかしながら、上記構成とすると、インストルメントパネルＩにフードリリースレバー１用のブラケット２を設ける必要があると共に、ネジ留め作業を必要とし作業工数の増加を招いていた。
また、フードリリースレバー１が運転席内においてインストルメントパネルＩより下方に突出して配置されているため邪魔となると共に、外見上も好ましくない。
【０００４】
本発明は、上記問題に鑑みてなされたもので、フードリリースレバーの取り付けを簡素化すると共に、外見上も良好とすることを課題としている。
【０００５】
【課題を解決するための手段】
上記課題を解決するため、本発明は、自動車のフード（ボンネット）を開放するフードリリースレバーの取付構造であって、
インストルメントパネルの内部にジャンクションボックスを収容固定し、該ジャンクションボックスの収容位置のインストルメントパネルの室内側の外面に開口を設けると共に、該開口を閉鎖する化粧板を取り外し可能に設け、
上記ジャンクションボックスはヒューズ・リレー等の取り付けられた正面側が上記開口に面するように配置され、該ジャンクションボックスの下端にレバー取付部を備える凹部を設け、上記レバー取付部にスライド枠を正面側に設けていると共に、該凹部を横断する引掛バーを背面側に設けている一方、上記フードリリースレバーにスライド突起を正面側に設けていると共に、背面側の上面よりフックを立設し、
上記フードリリースレバーのスライド突起を上記レバー取付部のスライド枠にスライド挿入すると共に、上記フックを上記引掛バーに引っ掛けて係止し、上記レバー取付部にフードリリースレバーを取付固定した状態で上記インストルメントパネル内に収容し、
上記化粧板を取り外すことで露出する上記開口をジャンクションボックスのメンテナンス用とフードリリースレバーの操作用とに兼用していることを特徴としているフードリリースレバーの取付構造を提供している。
【０００６】
上記構造とすると、フードリリースレバーがインストルメントパネル内に収納されて見えなくなるので、運転席内でフードリリースレバーが邪魔にならないと共に外見上も良好となる。また、フードリリースレバーをジャンクションボックスに取り付けるため、インストルメントパネルに設けていたレバー取付用のブラケットを廃止することができる。
さらに、フードリリースレバーを操作する必要が発生した際には、上記化粧板を取り外すことで上記開口に露出するフードリリースレバーを操作することができる。なお、上記開口および化粧板は、ジャンクションボックスのメンテナンス用と兼用しているので、別途、特別に設ける必要もない。
【０００８】
かつ、フードリリースレバーをジャンクションボックスに取り付ける際に、フードリリースレバーをレバー取付部にスライドさせるだけでワンタッチで取り付けることができるので、取り付け作業を簡素化することができる。
また、取り付け後も、フードリリースレバーはジャンクションボックスの正面側で上記スライド突起が上記スライド枠に保持されていると同時に、背面側でも上記フックが上記引掛バーに係止されているので、安定して固定される。
さらに、上記レバー取付部はジャンクションボックスの下端の凹部に設けているため、フードリリースレバーを凹部内に収めて取り付けることでジャンクションボックスから突出せず邪魔にならない。
【０００９】
【発明の実施の形態】
本発明の実施形態を図面を参照して説明する。
本実施形態のフードリリースレバー２０はジャンクションボックス１０に取付固定し、該ジャンクションボックス１０と共にインストルメントパネルＩ内に収容している。
【００１０】
ジャンクションボックス１０は、図１に示すように、ケース１１の正面側にリレー収容部１３、ヒューズ収容部１４を設け、ケース１１上端にブラケット１５を突設し、ケース１１下端の凹部１１ａにフードリリースレバー２０用のレバー取付部１２を設けている。
【００１１】
詳しくは、図２乃至図４に示すように、レバー取付部１２は、背面側下方に傾斜している取付フレーム１６と、該取付フレーム１６の下面を四角形状に穿設した下面開口１７と、該取付フレーム１６の正面側の辺の中央を切り欠いた切欠１８と、該切欠１８の両側の断面Ｌ字形状のスライド枠１６ａと、該取付フレーム１６の背面側の辺となる引掛バー１６ｂとを備えている。
【００１２】
フードリリースレバー２０は、ジャンクションボックス１０のレバー取付部１２に固定される本体部２１に傾動可能なレバー２２を軸着している。
本体部２１は、該レバー取付部１２との対向面となるＴ字形状の上面部２１ａと、該上面部２１ａの正面側で左右に突出したスライド突起２１ｂと、該上面部２１ａの背面側で上方に折り返し状に突出したフック２１ｃと、該本体部２１の正面側で突出した突出部２１ｄとを備えている。
【００１３】
レバー２２は、上記本体部２１の突出部２１ｄに嵌め込まれる凹部２２ａと、ユーザが手で引っ張る取手部２２ｃと、上記突出部２１ｄと凹部２２ａとを軸着する軸部２２ｂとを備えている。
【００１４】
なお、軸部２２ｂ内には、ユーザが取手部２２ｃを引っ張ってレバーを傾動させた際にレバー２２を元の位置に復帰させる巻戻コイルばね（図示せず）を備えていると共に、レバー２２を傾動する動作を伝達する伝達ワイヤｗを本体部２１に設けている。
【００１５】
次に、フードリリースレバー２０のジャンクションボックス１０への取付手順を説明する。
図６（Ａ）（Ｂ）に示すように、レバー取付部１２の下方にフードリリースレバー２０を配置した状態から、図中矢印のように、フードリリースレバー２０のスライド突起２１ｂを取付フレーム１６の下面開口１７より挿入し、スライド枠１６ａにスライド挿入する。また、これと同時に、フードリリースレバー２０のフック２１ｃを取付フレーム１６の引掛バー１６ｂに背面開口１９を通して引っ掛けることにより、フードリリースレバー２０を前後両側で取付フレーム１６に固定している。
【００１６】
上記のように、フードリリースレバー２０をジャンクションボックス１０のレバー取付部１２に取付固定すると、図７に示すように、フードリリースレバー２０はジャンクションボックス１０のケース１１下端の凹部１１ａに収まって突出しないので、邪魔になることもない。この状態で、図８に示すように、該ジャンクションボックス２０と共にフードリリースレバー２０をインストルメントパネルＩ内に収容している。
【００１７】
インストルメントパネルＩの外面には、図８（Ａ）に示すように、ジャンクションボックス１０が配置される位置に開口３１を穿設し、該開口３１を覆うように化粧板３０を設けている。
化粧板３０は、図８（Ｂ）に示すように、背面の上下に断面Ｌ字形状のロック片３０ａ、３０ｂを突設し、該ロック片３０ａ、３０ｂを開口３１の上下縁に係止することでロックしている。なお、上側のロック片３０ｂの先端を先細りのテーパー形状とすることで取り外し可能としている。
上記化粧板３０を取り外すことで、開口３１を通じてジャンクションボックス１０のメンテナンスが行えると共に、フードリリースレバー２０のレバー２２を引っ張ってフードＢを開放することができる。
【００１８】
上記構成とすると、インストルメントパネルＩにブラケットを設ける必要がなく、ネジ留めも廃止できると共に、フードリリースレバー２０をワンタッチで簡単に取り付けることができ、作業性も向上する。
【００１９】
また、フードリリースレバー２０をジャンクションボックス１０に固定してインストルメントパネルＩ内に収容してしまうので、フードリリースレバー２０を隠して外観上の見栄えを向上させることができる。さらに、フードリリースレバー２０の操作が必要な時には、ジャンクションボックス１０用と兼用される化粧板３０を取り外して開口３１より操作することができる。
【００２０】
なお、フードリリースレバー２０のジャンクションボックス１０への固定手段は、本実施形態のような、スライド突起２１ｂをスライド枠１６ａにスライド挿入し、かつ、フック２１ｃを引掛バー１６ｂに引っ掛け係止して固定する方法に限定されず、ワンタッチでロック固定できるものであればよい。
【００２１】
【発明の効果】
以上の説明より明らかなように、本発明によれば、フードリリースレバーがインストルメントパネル内に収納されて見えなくなるので、運転席でフードリリースレバーが邪魔にならないと共に外見上も良好となる。また、フードリリースレバーをジャンクションボックスに取り付けるため、インストルメントパネルに設けていたレバー取付用のブラケットを廃止できる。
【００２２】
さらに、ジャンクションボックスのメンテナンス用と兼用している上記化粧板を取り外すことで、上記開口に露出するフードリリースレバーを操作するとができる。
【００２３】
また、上記フードリリースレバーは、上記スライド突起およびフックを上記レバー取付部のスライド枠および引掛バーにスライドさせてワンタッチで取り付けることができるので、ネジ留め作業等を廃止でき取付作業を簡素化することができる。
【図面の簡単な説明】
【図１】  本発明の実施形態に係るジャンクションボックスの正面図である。
【図２】  ジャンクションボックスの要部拡大図である。
【図３】  ジャンクションボックスの側面図である。
【図４】  ジャンクションボックスの背面図である。
【図５】  フードリリースレバーの斜視図である。
【図６】  （Ａ）（Ｂ）はフードリリースレバーのジャンクションボックスへの取付手順を示す説明図である。
【図７】  フードリリースレバーを取り付けたジャンクションボックスの正面図である。
【図８】  （Ａ）（Ｂ）はフードリリースレバー付きのジャンクションボックスがインストルメントパネル内に収容された状態を示す図面である。
【図９】  （Ａ）（Ｂ）は従来のフードリリースレバーの取付状態を示す図面である。
【図１０】  自動車のフードの開閉を示す図面である。
【符号の説明】
１０        ジャンクションボックス
１１        ケース
１２        レバー取付部
１３        リレー収容部
１４        ヒューズ収容部
１５        ブラケット
１６        取付フレーム
１６ａ      スライド枠
１６ｂ      引掛バー
１７        下面開口
１８        切欠
１９        背面開口
２０        フードリリースレバー
２１        本体部
２１ａ      上面部
２１ｂ      スライド突起
２１ｃ      フック
２２        レバー
２２ｂ      軸部
２２ｃ      取手部
３０        化粧板
３１        開口
Ｂ          フード（ボンネット）
Ｉ          インストルメントパネル
【図１】
0003915536.tif 000002
【図２】
0003915536.tif 000003
【図３】
0003915536.tif 000004
【図４】
0003915536.tif 000005
【図５】
0003915536.tif 000006
【図６】
0003915536.tif 000007
【図７】
0003915536.tif 000008
【図８】
0003915536.tif 000009
【図９】
0003915536.tif 000010
【図１０】
0003915536.tif 000011